(57)【要約】【課題】ジェネリック医薬品の利用を促進する。【解決手段】情報処理システムは、各健康保険組合の組合員の調剤に関するレセプト情報を格納する格納部と、格納部に格納される調剤に関するレセプト情報を各医薬品について集計し、薬価基準収載医薬品コードの所定部分が一致する後発医薬品群における各後発医薬品の数量シェアを算出する算出部と、薬価基準収載医薬品コードの所定部分が一致する後発医薬品群における各後発医薬品の数量シェアを提供する提供部と、を備える。【選択図】図１９
2015022355.tif 000002
【特許請求の範囲】
【請求項１】
各健康保険組合の組合員の調剤に関するレセプト情報を格納する格納部と、
前記格納部に格納される調剤に関するレセプト情報を各医薬品について集計し、薬価基準収載医薬品コードの所定部分が一致する後発医薬品群における各後発医薬品の数量シェアを算出する算出部と、
前記後発医薬品群における各後発医薬品の数量シェアを提供する提供部と、
を備える情報処理システム。
【請求項２】
前記提供部は、前記後発医薬品群における各後発医薬品の数量シェアを降順でランキング付けして提供する、
請求項１に記載の情報処理システム。
【請求項３】
前記算出部は、各レセプト情報における医薬品の使用量を規格単位除数で割った値を使用数量とし、各医薬品について前記使用数量の合計値を前記薬価基準収載医薬品コードの前記所定部分が一致する後発医薬品群の前記使用数量の合計値で除算して、各医薬品の前記数量シェアを算出する、
請求項１又は２に記載の情報処理システム。
【請求項４】
前記提供部は、前記後発医薬品群における各後発医薬品の数量シェアとともに、先発医薬品を使用した場合に比べて前記各後発医薬品を使用した場合の削減額を提供する、
請求項１から３のいずれか一項に記載の情報処理システム。
【請求項５】
前記算出部は、地域ごとに前記後発医薬品群における各後発医薬品の数量シェアを算出する、
請求項１から４のいずれか一項に記載の情報処理システム。
【請求項６】
各健康保険組合の組合員の調剤に関するレセプト情報を格納する格納部と、
前記格納部に格納される調剤に関するレセプト情報を各医薬品について集計し、薬価基準収載医薬品コードの所定部分が一致する後発医薬品群における各後発医薬品の数量シェアを算出する算出部と、
前記後発医薬品群における各後発医薬品の数量シェアを提供する提供部と、
を備える情報処理装置。
【請求項７】
各健康保険組合の組合員の調剤に関するレセプト情報を格納部に格納し、
前記格納部に格納される調剤に関するレセプト情報を集計し、薬価基準収載医薬品コードの所定部分が一致する後発医薬品群における各後発医薬品の数量シェアを算出し、
前記後発医薬品群における各後発医薬品の数量シェアを提供する、
情報処理方法。
【発明の詳細な説明】
【技術分野】
【０００１】
本発明は、情報処理システム、情報処理装置、及び情報処理方法に関する。
【背景技術】
【０００２】
厚生労働省では、「平成２４年度までに、ジェネリック医薬品の数量シェアを３０％以上にする」という目標が掲げられている。ジェネリック医薬品とは、特許期間が過ぎた医薬品と、成分や規格等が同一であり、特許権者以外の製薬会社によって製造又は供給される医薬品のことである。ジェネリック医薬品は、後発医薬品とも呼ばれる。一方、特許権者によって製造及び供給される医薬品は、先発医薬品と呼ばれる。
【０００３】
しかしながら、日本においては、処方箋には先発医薬品が記載されることが多く、ジェネリック医薬品の数量シェアは２２．８％（平成２３年９月の薬価調査に基づく集計値）であり、厚生労働省の掲げる目標は達成されていない。
【０００４】
例えば、健康保険組合では、ジェネリック医薬品の利用を促進するために、組合員に対して、先発医薬品に対して変更可能なジェネリック医薬品と、該ジェネリック医薬品を使用した場合の医療費削減額とを、紙媒体のジェネリック医薬品促進通知により提供するサービスを行っている。
【先行技術文献】
【特許文献】
【０００５】
【特許文献１】特開２００７−１８２９２号公報
【発明の概要】
【発明が解決しようとする課題】
【０００６】
しかしながら、ジェネリック医薬品促進通知では、１つの先発医薬品に対して、１つの後発医薬品を紹介していることが多く、例えば、紹介された後発医薬品が薬局で取り扱われていない、他の後発医薬品についての情報が得られない、という問題があった。
【０００７】
本発明は、上記した問題に鑑み、ジェネリック医薬品の利用を促進可能な情報処理システム、情報処理装置、及び情報処理方法を提供することを課題とする。
【課題を解決するための手段】
【０００８】
本発明の態様の一つは、各健康保険組合の組合員の調剤に関するレセプト情報を格納する格納部と、格納部に格納される調剤に関するレセプト情報を各医薬品について集計し、薬価基準収載医薬品コードの所定部分が一致する後発医薬品群における各後発医薬品の数量シェアを算出する算出部と、薬価基準収載医薬品コードの所定部分が一致する後発医薬品群における各後発医薬品の数量シェアを提供する提供部と、を備える情報処理システムである。
【０００９】
本発明の態様の一つによれば、薬価基準収載医薬品コードの所定部分が一致する後発医薬品群における各後発医薬品の数量シェアを提供されることによって、ユーザは複数の後発医薬品の中から使用する後発医薬品を選択することが可能となる。また、ユーザは、数量シェアの大きい後発医薬品を選択することができ、選択した後発医薬品が薬局で取り扱われている可能性が高まる。また、選択した後発医薬品が薬局で取り扱われていない場合には、提供される他の後発医薬品を選択することができ、後発医薬品を購入する際の利便性が高まる。
【００１０】
更に、本発明は、態様の一つとして、方法、装置、又はプログラムとしても把握することが可能である。また、本発明の態様の一つは、上述のプログラムをコンピュータその他の装置、機械等が読み取り可能な記録媒体に記録したものでもよい。ここで、コンピュータ等が読み取り可能な記録媒体とは、データやプログラム等の情報を電気的、磁気的、光学的、機械的、又は化学的作用によって蓄積し、コンピュータ等から読み取ることができる記録媒体をいう。
【発明の効果】
【００１１】
本発明によれば、ジェネリック医薬品の利用を促進することができる。
【図面の簡単な説明】
【００１２】
【図１】第１実施形態に係る情報処理システムの構成の一例を示す図である。
【図２】処方医薬品情報データウェアハウスに格納されるレコードの一例である。
【図３】個人マスタに格納されるレコードの一例である。
【図４】医薬品マスタに格納されるレコードの一例である。
【図５】後発医薬品マスタに格納されるレコードの一例である。
【図６】規格単位マスタに格納されるレコードの一例を示す。
【図７】地域管理マスタに格納されるレコードの一例である。
【図８Ａ】医薬品詳細データマートのレコードの一例である。
【図８Ｂ】医薬品詳細データマートのレコードの一例である。
【図９】地域別ランキングシェア件数データマートのレコードの一例である。
【図１０】地域別ランキングデータマートのレコードの一例である。
【図１１】全国ランキングシェア件数データマートのレコードの一例である。
【図１２】全国ランキングデータマートのレコードの一例である。
【図１３】第１実施形態に係る分析サーバのハードウェア構成例を示す図である。
【図１４】第１実施形態に係る分析サーバの機能ブロック図の一例である。
【図１５】医薬品詳細データマート作成部の処理のフローチャートの一例である。
【図１６】地域別ランキング集計部の処理のフローチャートの一例である。
【図１７】全国ランキング集計部の処理のフローチャートの一例である。
【図１８】ユーザ端末の入力画面の一例である。
【図１９】ユーザ端末におけるランキング検索結果表示画面の一例である。
【発明を実施するための形態】
【００１３】
以下、図面に基づいて、本発明の実施の形態を説明する。以下の実施形態の構成は例示であり、本発明は実施形態の構成に限定されない。
【００１４】
＜第１実施形態＞
第１実施形態に係る情報処理システムは、組合員に対して、インターネット経由で、先発医薬品に対応する後発医薬品の数量シェア順又は薬価順のランキングを提供する。
【００１５】
図１は、第１実施形態に係る情報処理システムの構成の一例を示す図である。図１に示される情報処理システムは、例えば、約４００組合存在する各健康保険組合の組合員の情報を管理し、各健康保険組合及び各組合員に様々な情報を提供するシステムである。情報処理システムは、情報分析システム１００、レセプト情報管理システム２００、基幹システム３００、ウェブシステム４００を含む。
【００１６】
情報分析システム１００、レセプト情報管理システム２００、基幹システム３００、及びウェブシステム４００は、それぞれ、プライベートネットワークで構成され、各システム内の各装置はＬＡＮで接続される。情報分析システム１００、レセプト情報管理システ
ム２００、基幹システム３００、ウェブシステム４００のシステム間は、例えば、ＩＰ−ＶＰＮ（Internet Protocol Virtual Private Network）や専用回線によって接続されて
いる。
【００１７】
基幹システム３００は、情報処理システムのサービスに契約している各健康保険組合からのデータを集約し管理するシステムであって、健康保険組合専用のサービスを提供するＡＳＰ（Application Services Provider）によって管理される。基幹システム３００に
は、個人マスタ３１と、図示されないメインフレームとが含まれる。メインフレームでは、各健康保険組合から集約された情報の管理に係る処理が実行される。個人マスタ３１には、メインフレームによって処理された、各健康保険組合の全組合員のデータが、統一されたフォーマットで格納されている。例えば、個人マスタ３１には、各健康保険組合の組合員の個人情報、医療費の計算結果、及び健康診断結果等が格納される。個人マスタ３１に格納されるデータの詳細は、後述される。
【００１８】
レセプト情報管理システム２００は、各健康保険組合が保有するシステムであって、該健康保険組合の組合員のレセプト情報を管理する。レセプト情報管理システム２００は、情報処理システムにより提供されるサービスを契約する健康保険組合の数だけ存在するが、図１では、便宜上、レセプト情報管理システム２００は１つ示されている。レセプト情報は、各組合員の医療機関（病院、調剤薬局等）における受診記録や調剤記録等である。レセプト情報管理システム２００には、処方医薬品情報データベース２１が備えられる。処方医薬品情報データベース２１には、各医療機関から随時送信されるレセプト情報のうち、調剤記録のデータが格納される。レセプト情報管理システム２００は、基幹システム３００と同じ場所（建物、敷地）に配置されていてもよいし、異なる場所に配置されていてもよい。処方医薬品情報データベース２１に格納されるデータの詳細は、後述される。
【００１９】
情報分析システム１００は、基幹システム３００と数百あるレセプト情報管理システム２００とのそれぞれが管理するデータのコピーを保持し、保持するデータを分析及び集計するシステムである。情報分析システム１００には、例えば、分析サーバ１、処方医薬品情報データウェアハウス２、個人マスタ３、医薬品マスタ４Ａ、後発医薬品マスタ４Ｂ、規格単位マスタ５、地域管理マスタ６、医薬品詳細データマート７、地域別ランキングシェア件数データマート８Ａ、地域別ランキングデータマート８Ｂ、全国ランキングシェア件数データマート９Ａ、全国ランキングデータマート９Ｂが含まれる。
【００２０】
処方医薬品情報データウェアハウス２は、各レセプト情報管理システム２００内の処方医薬品情報データベース２１に格納される全データのコピーが格納されている。例えば、処方医薬品情報データウェアハウス２は、図示されないサーバが、各レセプト情報管理システム２００の処方医薬品情報データベース２１から処方医薬品情報データウェアハウス２に格納されているデータとの差分を取得し、格納することによって更新される。処方医薬品情報データウェアハウス２の更新処理は、例えば、業務外時間（例えば夜間）に、一日に一回のバッチ処理で行われる。なお、各レセプト情報管理システム２００内の所定のサーバが、所定周期のバッチ処理で差分データを情報分析システム１００に送信し、該差分データが処方医薬品情報データウェアハウス２に格納されることによって、処方医薬品情報データウェアハウス２が更新されるようにしてもよい。
【００２１】
個人マスタ３には、基幹システム３００の個人マスタ３１に格納される全データのコピーが格納されている。すなわち、個人マスタ３には、サービスを契約する全健康保険組合の全組合員のデータが格納されている。例えば、個人マスタ３は、図示されないサーバが、基幹システム３００の個人マスタ３１から情報分析システム１００の個人マスタ３に格納されているデータとの差分を取得し、格納することによって、更新される。個人マスタ３の更新処理は、例えば、業務外時間（例えば夜間）に、一日に一回のバッチ処理で行わ
れる。なお、基幹システム３００のメインフレームが、所定周期のバッチ処理で差分データを情報分析システム１００に送信し、該差分データが個人マスタ３に格納されることによって、個人マスタ３が更新されるようにしてもよい。
【００２２】
処方医薬品情報データウェアハウス２、個人マスタ３、医薬品マスタ４Ａ、後発医薬品マスタ４Ｂ、規格単位マスタ５、地域管理マスタ６の詳細については、後述される。
【００２３】
分析サーバ１は、処方医薬品情報データウェアハウス２、個人マスタ３、医薬品マスタ４Ａ、後発医薬品マスタ４Ｂ、規格単位マスタ５、地域管理マスタ６から所定のデータを抽出して医薬品詳細データマート７を生成、更新する。データマートは、データウェアハウスに保存されたデータの中から、使用目的に応じて特定のデータを切り出して整理し直し、別のデータベースに格納したものをいう。
【００２４】
分析サーバ１は、医薬品詳細データマート７に格納されるデータを各地域について集計して、地域別ランキングシェア件数データマート８Ａ、地域別ランキングデータマート８Ｂを作成、更新する。地域とは、例えば、北海道、東北、関東、中部、近畿、四国、中国、九州の各都道府県の区分けである。
【００２５】
さらに、分析サーバ１は、地域別ランキングシェア件数データマート８Ａ、地域別ランキングデータマート８Ｂを集計して、全国ランキングシェア件数データマート９Ａ、全国ランキングデータマート９Ｂを作成、更新する。地域別ランキングデータマート８Ｂには、地域別の効能を同じくする後発医薬品群における各後発医薬品の数量シェアが格納される。全国ランキングデータマート８Ａには、全国での効能を同じくする後発医薬品群における各後発医薬品の数量シェアが格納される。
【００２６】
医薬品詳細データマート７、地域別ランキングシェア件数データマート８Ａ、地域別ランキングデータマート８Ｂ、全国ランキングシェア件数データマート９Ａ、全国ランキングデータマート９Ｂの詳細については後述される。
【００２７】
ウェブシステム４００は、インターネットを通じて各組合員に情報を提供するサービス（以下、情報提供サービス）を行うシステムである。ウェブシステム４００には、例えば、医薬品詳細データマート４１、地域別ランキングデータマート４２、全国ランキングデータマート４３、ウェブサーバ４４が含まれる。
【００２８】
医薬品詳細データマート４１には、情報分析システム１００の医薬品詳細データマート７に格納されるデータのうち、ウェブシステム４００によって提供されるサービスの契約をしている健康保険組合の組合員のデータのコピーが格納される。地域別ランキングデータマート４２、全国ランキングデータマート４３は、それぞれ、情報分析システム１００の地域別ランキングデータマート８Ｂ、全国ランキングデータマート９Ｂのコピーである。
【００２９】
例えば、医薬品詳細データマート４１、地域別ランキングデータマート４２、全国ランキングデータマート４３は、それぞれ、図示されないウェブシステム４００内の所定のサーバが、情報分析システム１００の医薬品詳細データマート７、地域別ランキングデータマート８Ｂ、全国ランキングデータマート９Ｂから差分データを取得し、格納することによって更新される。医薬品詳細データマート４１、地域別ランキングデータマート４２、全国ランキングデータマート４３の更新処理は、例えば、業務外時間（例えば夜間）に、一日に一回のバッチ処理で行われる。なお、情報分析システム１００内の所定のサーバが、所定周期のバッチ処理で情報分析システム１００の医薬品詳細データマート７、地域別ランキングデータマート８Ｂ、全国ランキングデータマート９Ｂの差分データをウェブシ
ステム４００に送信するようにしてもよい。
【００３０】
ウェブサーバ４４は、組合員の端末からの要求に応じて、医薬品詳細データマート４１、地域別ランキングデータマート４２、全国ランキングデータマート４３から所定のデータを抽出してウェブページを作成し、組合員の端末に送信する。ウェブページには、要求によって指定された医薬品に対応する後発医薬品群の各後発医薬品の地域別又は全国の数量シェアが含まれる。
【００３１】
＜システム内のデータベース＞
各システム内のデータベースは、それぞれ、記憶装置上に構成される。データベースが構成される記憶装置には、例えば、ＨＤＤ（Hard Disk Drive）や、ＲＡＭ（Random Access Memory）やＲＯＭ(Read Only Memory)のような半導体メモリ等がある。各システム内
のデータベースは、それぞれ、例えば、オラクル（登録商標）のようなデータベース管理システムソフトウェアによって、１又は複数のデータベースサーバ（図示せず）によって管理されている。各システム内の各データベースは、データベースサーバに搭載されていてもよいし、別の独立した装置であってもよい。また、例えば、各システム内の各データベースは、各システムにおいて、同じ記憶装置上に構成されてもよいし、それぞれ異なる記憶装置上に構成されてもよい。また、１つのデータベースが、複数の記憶装置を用いて構成されてもよい。データベースのハードウェア構成については、システムの規模、設計によるところが大きく、特定の構成に限定されない。
【００３２】
図２は、処方医薬品情報データウェアハウス２に格納されるレコードの一例である。処方医薬品情報データウェアハウス２に格納される１つのレコードは、１組合員の１回当たり診療によって処方された処方箋の調剤情報のレセプト情報に対応する。処方医薬品情報データウェアハウス２に格納される１つのレコードには、例えば、調剤を受けた組合員の情報（項目Ｎｏ．７〜１４、２５）、調剤の起因となる診療の発生日（項目Ｎｏ．１５）、調剤の請求日（項目Ｎｏ．１６）、調剤を行った薬局の情報（項目Ｎｏ．１７〜２１）、医薬品の情報（項目Ｎｏ．２２〜２４）が含まれる。
【００３３】
項目Ｎｏ．２２の医薬品コードは、厚生労働省によって、医薬品１つ１つに重複なく割り当てられる識別コードである。項目Ｎｏ．２３の調剤数量は、何日分処方されたかを示す。項目Ｎｏ．２４の使用量は、１日当たりの処方量（錠、ｇ等）を示す。項目Ｎｏ．２５の個人番号は、各組合員に割り当てられる識別コードである。
【００３４】
図３は、個人マスタ３に格納されるレコードの一例である。個人マスタ３に格納される１つのレコードは、１組合員に関する情報である。個人マスタ３の１つのレコードには、例えば、組合員の所属情報（項目Ｎｏ．１〜９）、組合員に割り当てられた識別情報（項目Ｎｏ．１０）、被保険者の種類を示す情報（項目Ｎｏ．１１〜１２）が含まれる。項目Ｎｏ．１０の個人番号によって、個人マスタ３のレコードと処方医薬品情報データウェアハウス２のレコードとが紐付けられる。
【００３５】
図４は、医薬品マスタ４Ａに格納されるレコードの一例である。医薬品マスタ４Ａに格納される１つのレコードは、１つの医薬品に対応する。また、医薬品マスタ４Ａは、社会保険支払報酬基金によって定義される医薬品マスタを情報分析システム１００に対応させて加工したものである。医薬品マスタ４Ａのレコードには、例えば、医薬品を識別するための医薬品コード（項目Ｎｏ．１）、医薬品の名称に関する情報（項目Ｎｏ．５〜８）、単位に関する情報（項目Ｎｏ．９〜１１）、薬価に関する情報（項目Ｎｏ．１２、１３）、医薬品の成分に関する情報（項目Ｎｏ．１５〜１７）、後発医薬品の有無（項目Ｎｏ．１８）、医薬品の剤形に関する情報（項目Ｎｏ．２９）、薬価基準コード（項目Ｎｏ．３２）等が含まれる。項目Ｎｏ．１８の「後発品」には、該当レコードの医薬品が先発医薬
品である場合には「０」、該当レコードの医薬品が後発医薬品である場合には「１」が格納される。
【００３６】
医薬品の単位には、例えば、“錠”、“グラム”等がある。薬価とは、該医薬品の一単位当たりの公定価格である。
【００３７】
薬価基準コードは、正式名称を「薬価基準収載医薬品コード」という。薬価基準コードは、厚生労働省によって決められる１２ケタの英数字列である。薬価基準コードの上位４ケタは、日本標準商品分類番号の下４ケタであって、薬効を示す。薬価基準コードの上位５〜７目ケタは、医薬品の成分別（内服薬、注射薬、外用薬）を示す。薬価基準コードの上位８ケタ目は、剤形（散剤、錠剤、カプセル剤、液剤等）を示すアルファベットである。薬価基準コードの上位９ケタ目は、上位８ケタで分類された同一分類内での規格単位を示す。上位１０、１１ケタ目は、銘柄ごとに割り当てられる番号である。下位１ケタは、誤記入検索用の番号である。したがって、同じ薬効、剤形の医薬品は、薬価基準コードの上位９ケタが同一になる。すなわち、１つの先発医薬品と、該先発医薬品に対応する後発医薬品は、薬価基準コードの上位９ケタが同じ値となる。
【００３８】
医薬品マスタ４Ａの項目Ｎｏ．１の医薬品コードによって、医薬品マスタ４Ａのレコードと処方医薬品情報データウェアハウス２のレコードとが紐付けられる。
【００３９】
図５は、後発医薬品マスタ４Ｂに格納されるレコードの一例である。後発医薬品マスタ４Ｂの１つのレコードは、１つの後発医薬品に対応する。後発医薬品マスタ４Ｂのレコードは、例えば、後発医薬品の薬価基準コード（項目Ｎｏ．１）、医薬品コード（項目Ｎｏ．２）、後発医薬品のメーカ名（項目Ｎｏ．１７）等を含む。項目Ｎｏ．２の医薬品コードによって、後発医薬品マスタ４Ｂのレコードと、医薬品マスタ４Ａのレコードとが紐付けられる。
【００４０】
図６は、規格単位マスタ５に格納されるレコードの一例を示す。規格単位マスタ５の１つのレコードは、１つの薬価基準コードに対応する。規格単位マスタ５のレコードは、例えば、薬価基準コード（項目Ｎｏ．１）、規格単位除数（項目Ｎｏ．２）を含む。
【００４１】
規格単位除数は、正式名称「薬価基準当たりの規格単位」といい、厚生労働省によって各薬価基準コードについて定められている。医薬品は、同じ効能、同じ成分であっても、例えば、単位が異なる場合には、使用量を比較することは困難である。例えば、同じ成分、効能である錠剤の医薬品Ａ（単位：錠）と液剤の医薬品Ｂ（単位：ｍｌ）とでは、単位が異なるため、使用量の比較が困難である。規格単位除数は、各医薬品の単位を全医薬品で共通の基準単位に変換するために用いられるものである。規格単位除数は薬価基準コード毎に定められており、薬価基準コードは同じ成分、効能であっても剤形が異なると異なる値になるため、規格単位除数も同じ成分、効能であっても剤形が異なると異なる値となる。第１実施形態では、医薬品の使用量（錠、ｇ等）を規格単位除数で割ったものを「数量」と定義し、各後発医薬品について、「数量」のシェアが算出される。また、第１実施形態の「数量」は、厚生労働省が掲げる「数量ベースでのジェネリック医薬品の使用率３０％」の目標における「数量」と同じ定義である。
【００４２】
規格単位マスタ５の項目Ｎｏ．２の薬価基準コードによって、規格単位マスタ５のレコードと、処方医薬品情報データウェアハウス２のレコードとが紐付けられる。
【００４３】
図７は、地域管理マスタ６に格納されるレコードの一例である。地域管理マスタ６の１つのレコードは、１つの都道府県に対応する。地域管理マスタ６のレコードは、例えば、都道府県を識別する情報（項目Ｎｏ．１、２）、該都道府県が分類される地域を識別する
情報（項目Ｎｏ．３、４）を含む。項目Ｎｏ．１の都道府県コード及び項目Ｎｏ．２の都道府県名称によって、地域管理マスタ６のレコードと処方医薬品情報データウェアハウス２のレコードとが紐付けられる。
【００４４】
図８Ａ及び図８Ｂは、医薬品詳細データマート７のレコードの一例である。医薬品詳細データマート７の１つのレコードは、１組合員の１回の診療によって処方される医薬品のうちの１つの医薬品に対応する。医薬品詳細データマート７のレコードに格納されるデータは、分析サーバ１によって、処方医薬品情報データウェアハウス２、個人マスタ３、医薬品マスタ４Ａ、後発医薬品マスタ４Ｂ、規格単位マスタ５、地域管理マスタ６から取得される。
【００４５】
例えば、まず、医薬品詳細データマート７のレコードの項目Ｎｏ．４〜７、２２〜２４、２６〜３０、３３、３４、３６〜４２、４９、５０に、それぞれ、処方医薬品情報データウェアハウス２のレコードの項目Ｎｏ．１〜４、２５、７〜２４に格納されるデータが格納される。
【００４６】
次に、例えば、医薬品詳細データマート７の項目Ｎｏ．２１の「個人番号」のデータが一致する個人マスタ３のレコードから項目Ｎｏ．１〜９、１１、１２のデータが取得され、それぞれ、医薬品詳細データマート７のレコードの項目Ｎｏ．８、１３〜２０、３１、３２に格納される。
【００４７】
次に、例えば、医薬品詳細データマート７のレコードの項目Ｎｏ．４２の「医薬品コード」のデータが一致する医薬品マスタ４Ａのレコードから項目Ｎｏ．６、３２、１３、９、１０、３１のデータが取得され、医薬品詳細データマート７のレコードの項目Ｎｏ．４３、４４、４６、４８、５８、５９、６８に格納される。医薬品マスタ４Ａのレコードの項目Ｎｏ．１３の「新又は現金額・新又は現金額」のデータは、例えば、医薬品詳細データマート７では、項目４８の「薬価」として扱われる。また、医薬品詳細データマート７のレコードの項目Ｎｏ．４４の「薬効分類コード」には、医薬品マスタ４Ａの項目Ｎｏ．３２の「薬価基準コード」のデータの上位４ケタが格納される。また、医薬品詳細データマート７のレコードの項目Ｎｏ．４５の「薬効分類」には、分析サーバ１によって、例えば、薬効分類マスタ（図示せず）等を利用して、薬効分類コードに対応する薬効分類名称が取得され、格納される。
【００４８】
例えば、医薬品詳細データマート７の項目Ｎｏ．４６の「薬価基準コード」のデータが一致する規格単位マスタ５のレコードから項目Ｎｏ．２の「規格単位除数」のデータが取得され、医薬品詳細データマート７の該当レコードの項目Ｎｏ．５７の「規格単位除数」に格納される。例えば、医薬品詳細データマート７の項目Ｎｏ．３７の「都道府県コード」及び項目Ｎｏ．３８の「都道府県名称」のデータが一致する地域管理マスタ６のレコードから項目Ｎｏ．３の「地域コード」と項目Ｎｏ．「地域名称」が取得され、それぞれ、医薬品詳細データマート７の該当レコードの項目Ｎｏ．５５の「地域コード」と項目Ｎｏ．５６の「地域名称」に格納される。
【００４９】
例えば、医薬品詳細データマート７の項目Ｎｏ．４７の「ジェネリック判定フラグ」、項目Ｎｏ．５１の「処方金額」、項目Ｎｏ．６２の「医薬品使用数量」は、分析サーバ１の計算処理によって取得される。
【００５０】
医薬品詳細データマート７の項目Ｎｏ．４７の「ジェネリック判定フラグ」には、該当レコードの医薬品が先発医薬品、後発医薬品のどちらであるかを示すフラグが格納される。例えば、医薬品詳細データマート７の項目Ｎｏ．４７の「ジェネリック判定フラグ」が「０」の場合には、該当レコードの医薬品は先発医薬品であって、後発医薬品が存在しな
い医薬品であることが示される。例えば、医薬品詳細データマート７の項目Ｎｏ．４７の「ジェネリック判定フラグ」が「１」の場合には、該当レコードの医薬品は先発医薬品であって、後発医薬品が存在する医薬品であることが示される。例えば、医薬品詳細データマート７の項目Ｎｏ．４７の「ジェネリック判定フラグ」が「２」の場合には、該当レコードの医薬品は後発医薬品であることが示される。
【００５１】
医薬品詳細データマート７の項目Ｎｏ．４７の「ジェネリック判定フラグ」の判定は、例えば、以下のようにして行われる。以下、医薬品詳細データマート７の項目Ｎｏ．４２「医薬品コード」のデータと項目Ｎｏ．１の「医薬品コード」が合致する医薬品マスタ４Ａのレコードを対象レコードと称する。
【００５２】
例えば、医薬品マスタ４Ａの対象レコードの項目Ｎｏ．１８の「後発品」のデータが先発医薬品であることを示す「０」であり、且つ、医薬品マスタ４Ａの対象レコードの項目Ｎｏ．３２の「薬価基準コード」の上位９ケタに後発医薬品マスタ４Ｂの項目Ｎｏ．１の「薬価基準コード」の上位９ケタが合致するレコードが後発医薬品マスタ４Ｂにない場合には、後発医薬品の存在しない先発医薬品であることが判定される。この場合には、医薬品詳細データマート７の該当レコードの項目Ｎｏ．４７の「ジェネリック判定フラグ」は、「０」となる。
【００５３】
例えば、医薬品マスタ４Ａの対象レコードの項目Ｎｏ．１８の「後発品」のデータが先発医薬品であることを示す「０」であり、且つ、医薬品マスタ４Ａの対象レコードの項目Ｎｏ．３２の「薬価基準コード」の上位９ケタに後発医薬品マスタ４Ｂの項目Ｎｏ．１の「薬価基準コード」の上位９ケタが合致するレコードが少なくとも１つ後発医薬品マスタ４Ｂにある場合には、後発医薬品の存在する先発医薬品であることが判定される。この場合には、医薬品詳細データマート７の該当レコードの項目Ｎｏ．４７の「ジェネリック判定フラグ」は、「１」となる。
【００５４】
例えば、医薬品マスタ４Ａの対象レコードの項目Ｎｏ．１８の「後発品」のデータが後発医薬品であることを示す「１」である場合には、後発医薬品である。この場合には、医薬品詳細データマート７の該当レコードの項目Ｎｏ．４７の「ジェネリック判定フラグ」は、「２」となる。
【００５５】
医薬品詳細データマート７の項目Ｎｏ．６０、６１、６３〜６７は、レコードの対象の医薬品が後発医薬品である場合に、データが格納される項目である。そのため、医薬品詳細データマート７の項目Ｎｏ．４７の「ジェネリック判定フラグ」が「０」又は「１」である場合には、すなわち、レコードの対象の医薬品が先発医薬品である場合には、医薬品詳細データマート７の項目Ｎｏ．６０、６１、６３〜６７には、データは格納されない。
【００５６】
医薬品詳細データマート７の項目Ｎｏ．６０の「除外医薬品フラグ」は、レコードの対象の医薬品（後発医薬品）を数量シェアの集計から除外することを示すフラグが格納される。例えば、医薬品詳細データマート７の項目Ｎｏ．６０の「除外医薬品フラグ」が「０」である場合には、レコードの対象の後発医薬品を数量シェアの集計から除外しないことが示される。例えば、医薬品詳細データマート７の項目Ｎｏ．６０の「除外医薬品フラグ」が「１」である場合には、レコードの対象の後発医薬品を数量シェアの集計から除外することが示される。レコードの対象の後発医薬品を数量シェアの集計から除外するか否かは、例えば、図示されない除外医薬品マスタを用いて判定される。除外医薬品マスタは、終了シェアの集計の除外対象の後発医薬品の医薬品コードを格納するマスタである。
【００５７】
医薬品詳細データマート７の項目Ｎｏ．６１の「後発品メーカ名」には、レコードの対象の医薬品の医薬品コードに合致する後発医薬品マスタ４Ｂのレコードの項目Ｎｏ．１７
の「後発品メーカ名」のデータが格納される。
【００５８】
医薬品詳細データマート７の項目Ｎｏ．６３〜６６には、レコードの対象の後発医薬品に対する先発医薬品のデータが格納される。医薬品詳細データマート７の項目Ｎｏ．６３〜６６には、医薬品マスタ４Ａにおいて、レコードの対象の後発医薬品の薬価基準コード（医薬品マスタ４Ａの項目Ｎｏ．３２）と上位９ケタが合致し、且つ、医薬品マスタ４Ａの項目Ｎｏ．１８の「後発品」が先発医薬品を示す「０」であるレコードの、項目Ｎｏ．１，６，３２，１３のデータが格納される。
【００５９】
医薬品詳細データマート７の項目Ｎｏ．５１の「処方金額」には、分析サーバ１による該レコードの項目Ｎｏ．４８の「薬価」×項目Ｎｏ．４９の「調剤数量」×項目Ｎｏ．５０の「使用量」の計算結果が格納される。ただし、医薬品詳細データマート７の項目Ｎｏ．５１の「処方金額」に格納される金額は、実際の処方金額とは異なることがある。例えば、実際の処方金額には、医薬品の費用に調剤料等の費用が加算されているからである。なお、レコードの対象の医薬品が後発医薬品である場合には、医薬品詳細データマート７の項目Ｎｏ．６７の「処方金額（先発医薬品）」にも、分析サーバ１による該レコードの項目Ｎｏ．６６の「薬価（先発医薬品）」×項目Ｎｏ．４９の「調剤数量」×項目Ｎｏ．５０の「使用量」の計算結果、すなわち、先発医薬品の場合の処方金額が格納される
【００６０】
医薬品詳細データマート７の項目Ｎｏ．６２の「医薬品使用数量」には、分析サーバ１による該レコードの項目Ｎｏ．４９の「調剤数量」×項目Ｎｏ．５０の「使用量」÷項目Ｎｏ．５７の「規格単位除数」の計算結果が格納される。医薬品詳細データマート７の項目Ｎｏ．６２の「医薬品使用数量」の値が、数量シェアの算出に用いられる。
【００６１】
図９は、地域別ランキングシェア件数データマート８Ａのレコードの一例である。地域別ランキングシェア件数データマート８Ａは、地域別の１つの先発医薬品に対する全後発医薬品の数量の情報を格納する。地域別の１つの先発医薬品に対する全後発医薬品の数量とは、すなわち、地域別の各後発医薬品の数量シェアの母数となる値である。なお、同じ先発医薬品に対する後発医薬品は、上述の通り、薬価基準コードの上位９ケタが一致することで判別される。
【００６２】
地域別ランキングシェア件数データマート８Ａは、分析サーバ１によって、医薬品詳細データマート７中の、集計キーの値が同一のレコードが集計されることによって作成される。地域別ランキングシェア件数データマート８Ａの集計キーは、医薬品詳細データマート７中の、項目Ｎｏ．５５「地域コード」、項目Ｎｏ．５６「地域名称」、項目Ｎｏ．４４「薬効分類コード」、項目Ｎｏ．４５「薬効分類」、項目Ｎｏ．４６「薬価基準コード」の上位９ケタである。すなわち、地域別ランキングシェア件数データマート８Ａは、集計キーの値が同一であり、且つ、医薬品詳細データマートの項目Ｎｏ．４７「ジェネリック判定フラグ」が「２」であるレコードが集計されて作成される。したがって、地域別ランキングシェア件数データマート８Ａの１つのレコードは、１つの地域における１つの先発医薬品の後発医薬品群に対応する。
【００６３】
地域別ランキングシェア件数データマート８Ａの項目Ｎｏ．１〜５には、集計キーとなる医薬品詳細データマート７の各レコードの項目Ｎｏ．５５「地域コード」、項目Ｎｏ．５６「地域名称」、項目Ｎｏ．４４「薬効分類コード」、項目Ｎｏ．４５「薬効分類」、項目Ｎｏ．４６「薬価基準コード」の値が格納される。
【００６４】
地域別ランキングシェア件数データマート８Ａの項目Ｎｏ．６「使用量」、項目Ｎｏ．７「調剤数量」、項目Ｎｏ．８「医薬品使用数量」には、それぞれ、医薬品詳細データマート７のレコード群の各レコードの項目Ｎｏ．５０「使用量」、項目Ｎｏ．４９「調剤数
量」、項目Ｎｏ．６２「医薬品使用数量」の値を合計した値が格納される。この場合の医薬品詳細データマート７のレコード群とは、地域別ランキングシェア件数データマート８Ａのレコードと各集計キーの値が同一の医薬品詳細データマート７のレコードであって、項目Ｎｏ．４７「ジェネリック判定フラグ」が「２」（後発医薬品）であるレコードの集まりをいう。
【００６５】
図１０は、地域別ランキングデータマート８Ｂのレコードの一例である。地域別ランキングデータマート８Ｂは、地域別の１つの先発医薬品に対する１つの後発医薬品の数量シェアの情報を格納する。地域別ランキングデータマート８Ｂは、分析サーバ１によって、医薬品詳細データマート７中の集計キーの値が同一のレコードが集計されることによって作成される。地域別ランキングデータマート８Ｂの作成に用いられる集計キーは、医薬品詳細データマート７中の、項目Ｎｏ．５５「地域コード」、項目Ｎｏ．５６「地域名称」、項目Ｎｏ．４４「薬効分類コード」、項目Ｎｏ．４５「薬効分類」、項目Ｎｏ．４６「薬価基準コード」の上位９ケタ、項目Ｎｏ．４２「医薬品コード」、項目Ｎｏ．４３「医薬品名・規格名・漢字名称」、項目Ｎｏ．６１「後発品メーカ」、項目Ｎｏ．４８「薬価」である。すなわち、地域別ランキングデータマート８Ｂは、集計キーの値が同一であり、且つ、医薬品詳細データマート７の項目Ｎｏ．４７「ジェネリック判定フラグ」が「２」である医薬品詳細データマート７のレコードが集計されて作成される。したがって、地域別ランキングデータマート８Ｂの１つのレコードは、１つの地域、１つの後発医薬品に対応する。
【００６６】
地域別ランキングデータマート８Ｂの項目Ｎｏ．１〜９には、集計キーとなる医薬品詳細データマート７の各レコードの項目Ｎｏ．５５「地域コード」、項目Ｎｏ．５６「地域名称」、項目Ｎｏ．４４「薬効分類コード」、項目Ｎｏ．４５「薬効分類」、項目Ｎｏ．４６「薬価基準コード」、項目Ｎｏ．４２「医薬品コード」、項目Ｎｏ．４３「医薬品名・規格名・漢字名称」、項目Ｎｏ．６１「後発品メーカ」、項目Ｎｏ．４８「薬価」の値が格納される。
【００６７】
地域別ランキングデータマート８Ｂの項目Ｎｏ．１０「使用量」、項目Ｎｏ．１１「調剤数量」、項目Ｎｏ．１２「処方金額（合計）」、項目Ｎｏ．１４「医薬品使用数量」には、それぞれ、医薬品詳細データマート７のレコード群の各レコードの項目Ｎｏ．５０「使用量」、項目Ｎｏ．４９「調剤数量」、項目Ｎｏ．５１「処方金額」、項目Ｎｏ．６２「医薬品使用数量」の値を合計した値が格納される。この場合の医薬品詳細データマート７のレコード群とは、地域別ランキングデータマート８Ｂのレコードと各集計キーの値が同一の医薬品詳細データマート７のレコードであって、項目Ｎｏ．４７「ジェネリック判定フラグ」が「２」（後発医薬品）であるレコードの集まりをいう。
【００６８】
すなわち、地域別ランキングデータマート８Ｂの項目Ｎｏ．１０「使用量」、項目Ｎｏ．１１「調剤数量」、項目Ｎｏ．１２「処方金額（合計）」、項目Ｎｏ．１４「医薬品使用数量」に格納される値は、それぞれ、項目Ｎｏ．６「医薬品コード」に該当する医薬品の、項目Ｎｏ．１「地域コード」に該当する地域における総使用量、総調剤数量、総処方金額、総医薬品使用数量である。
【００６９】
地域別ランキングデータマート８Ｂの項目Ｎｏ．１３「医薬品使用数量（全医薬品）」には、数量シェアの母数となる値、すなわち、地域別ランキングデータマート８Ｂのレコードの項目Ｎｏ．１「地域コード」、項目Ｎｏ．２「地域名称」、項目Ｎｏ．３「薬効分類コード」、項目Ｎｏ．４「薬効分類」、項目Ｎｏ．５「薬価基準コード」の上位９ケタが合致する地域別ランキングシェア件数データマート８Ａの項目Ｎｏ．８「医薬品使用数量」の値が格納される。
【００７０】
地域別ランキングデータマート８Ｂの項目Ｎｏ．１５「数量シェア」には、項目Ｎｏ．６「医薬品コード」に該当する医薬品の、項目Ｎｏ．１「地域コード」に該当する地域における先発医薬品に対応する後発医薬品群に対する数量シェアが格納される。地域別ランキングデータマート８Ｂの項目Ｎｏ．１５「数量シェア」には、分析サーバ１による、地域別ランキングデータマート８Ｂの項目Ｎｏ．１４「医薬品使用数量」÷項目Ｎｏ．１３「医薬品使用数量（全医薬品）」×１００の計算結果が格納される。
【００７１】
図１１は、全国ランキングシェア件数データマート９Ａのレコードの一例である。全国ランキングデータマート９Ａは、全国での１つの先発医薬品に対する後発医薬品群の数量の情報を格納する。全国での１つの先発医薬品に対する後発医薬品群の数量とは、すなわち、全国での各後発医薬品の数量シェアの母数となる値である。なお、同じ先発医薬品に対する後発医薬品は、上述の通り、薬価基準コードの上位９ケタが一致することで判別される。
【００７２】
全国ランキングシェア件数データマート９Ａは、分析サーバ１によって、地域別ランキングシェア件数データマート８Ａ中の集計キーの値が同一のレコードが集計されることによって作成される。全国ランキングシェア件数データマート９Ａの作成に用いられる集計キーは、地域別ランキングシェア件数データマート８Ａの、項目Ｎｏ．３「薬効分類コード」、項目Ｎｏ．４「薬効分類」、項目Ｎｏ．５「薬価基準コード」の上位９ケタである。すなわち、全国ランキングシェア件数データマート９Ａは、集計キーの値が同一である地域別ランキングシェア件数データマート８Ａのレコードが集計されて作成される。したがって、全国ランキングシェア件数データマート９Ａの１つのレコードは、１つの先発医薬品の後発医薬品群に対応する。
【００７３】
全国ランキングシェア件数データマート９Ａの項目Ｎｏ．１〜３には、集計キーとなる地域別ランキングシェア件数データマート８Ａの各レコードの項目Ｎｏ．３「薬効分類コード」、項目Ｎｏ．４「薬効分類」、項目Ｎｏ．５「薬価基準コード」の値が格納される。
【００７４】
全国ランキングシェア件数データマート９Ａの項目Ｎｏ．４「使用量」、項目Ｎｏ．５「調剤数量」、項目Ｎｏ．６「医薬品使用数量」には、それぞれ、地域別ランキングシェア件数データマート８Ａのレコード群の各レコードの項目Ｎｏ．６「使用量」、項目Ｎｏ．７「調剤数量」、項目Ｎｏ．８「医薬品使用数量」の値を合計した値が格納される。この場合の地域別ランキングシェア件数データマート８Ａのレコード群とは、全国ランキングシェア件数データマート９Ａのレコードと各集計キーの値が同一のレコードの集まりをいう。
【００７５】
図１２は、全国ランキングデータマート９Ｂのレコードの一例である。全国ランキングデータマート９Ｂは、１つの先発医薬品に対する１つの後発医薬品の全国での数量シェアの情報を格納する。全国ランキングデータマート９Ｂは、分析サーバ１によって、地域別ランキング８Ｂ中の集計キーの値が同一のレコードが集計されることによって作成される。全国ランキングデータマート９Ｂを作成する際に用いられる集計キーは、地域別ランキングデータマート８Ｂの、項目Ｎｏ．３「薬効分類コード」、項目Ｎｏ．４「薬効分類」、項目Ｎｏ．５「薬価基準コード」の上位９ケタ、項目Ｎｏ．６「医薬品コード」、項目Ｎｏ．７「医薬品名・規格名・漢字名称」、項目Ｎｏ．８「後発品メーカ」、項目Ｎｏ．９「薬価」である。すなわち、全国ランキングデータマート９Ｂは、集計キーの値が同一である地域別ランキングデータマート８Ｂのレコードが集計されて作成される。したがって、全国ランキングデータマート９Ｂの１つのレコードは、１つの後発医薬品に対応する。
【００７６】
全国ランキングデータマート９Ｂの項目Ｎｏ．１〜７には、集計キーとなる地域別ランキングデータマート８Ｂの各レコードの項目Ｎｏ．３「薬効分類コード」、項目Ｎｏ．４「薬効分類」、項目Ｎｏ．５「薬価基準コード」、項目Ｎｏ．６「医薬品コード」、項目Ｎｏ．７「医薬品名・規格名・漢字名称」、項目Ｎｏ．８「後発品メーカ」、項目Ｎｏ．９「薬価」の値が格納される。
【００７７】
全国ランキングデータマート９Ｂの項目Ｎｏ．８「使用量」、項目Ｎｏ．９「調剤数量」、項目Ｎｏ．１０「処方金額（合計）」、項目Ｎｏ．１２「医薬品使用数量」には、それぞれ、地域別ランキングデータマート８Ｂのレコード群の各レコードの項目Ｎｏ．１０「使用量」、項目Ｎｏ．１１「調剤数量」、項目Ｎｏ．１２「処方金額」、項目Ｎｏ．１４「医薬品使用数量」の値を合計した値が格納される。この場合の地域別ランキングデータマート８Ｂのレコード群とは、全国ランキングデータマート９Ｂのレコードと各集計キーの値が同一の地域別ランキングデータマート８Ｂのレコードの集まりをいう。
【００７８】
すなわち、全国ランキングデータマート９Ｂの項目Ｎｏ．８「使用量」、項目Ｎｏ．９「調剤数量」、項目Ｎｏ．１０「処方金額（合計）」、項目Ｎｏ．１２「医薬品使用数量」に格納される値は、それぞれ、項目Ｎｏ．４「医薬品コード」に該当する医薬品の、全国での総使用量、総調剤数量、総処方金額、総医薬品使用数量である。
【００７９】
全国ランキングデータマート９Ｂの項目Ｎｏ．１１「医薬品使用数量（全医薬品）」にには、数量シェアの母数となる値、すなわち、全国ランキングデータマート９Ｂのレコードの項目Ｎｏ．１「薬効分類コード」、項目Ｎｏ．２「薬効分類」、項目Ｎｏ．３「薬価基準コード」の上位９ケタが合致する全国ランキングシェア件数データマート９Ａの項目Ｎｏ．６「医薬品使用数量」の値が格納される。
【００８０】
全国ランキングデータマート９Ｂの項目Ｎｏ．１３「数量シェア」には、項目Ｎｏ．４「医薬品コード」に該当する医薬品の、全国における先発医薬品に対応する後発医薬品群に対する数量シェアが格納される。全国ランキングデータマート９Ｂの項目Ｎｏ．１３「数量シェア」には、分析サーバ１による、全国ランキングデータマート８Ｂの項目Ｎｏ．１２「医薬品使用数量」÷項目Ｎｏ．１１「医薬品使用数量（全医薬品）」×１００の計算結果が格納される。
【００８１】
＜分析サーバの構成＞
図１３は、第１実施形態に係る分析サーバ１のハードウェア構成例を示す図である。分析サーバ１は、例えば、特定用途専用のコンピュータ、又はパーソナルコンピュータ等の汎用のコンピュータである。分析サーバ１は、ＣＰＵ（Central Processing Unit）１０
１、主記憶装置１０２、入力装置１０３、出力装置１０４、補助記憶装置１０５、可搬記録媒体駆動装置１０６、ネットワークインタフェース１０７を備える。また、これらはバス１０９により互いに電気的に接続されている。
【００８２】
入力装置１０３は、例えば、タッチパッド、マウス、タッチパネル等のポインティングデバイス、キーボード等である。入力装置１０３から入力されたデータは、ＣＰＵ  １０１に出力される。
【００８３】
主記憶装置１０２は、ＣＰＵ  １０１に、補助記憶装置１０５に格納されているプログラムをロードする記憶領域および作業領域を提供したり、バッファとして用いられたり、一部のプログラムやデータを格納したりする。主記憶装置１０２は、例えば、ＲＡＭ（Random Access Memory）、ＲＯＭ(Read Only Memory)のような半導体メモリを含む。
【００８４】
補助記憶装置１０５は、様々なプログラムや、各プログラムの実行に際してＣＰＵ  １
０１が使用するデータを格納する。補助記憶装置１０５は、例えば、ＥＰＲＯＭ（Erasable Programmable ROM）、又はハードディスクドライブ（Hard Disk Drive）等の不揮発性のメモリである。補助記憶装置１０５は、例えば、オペレーティングシステム（ＯＳ）、データ分析プログラム、その他様々なアプリケーションプログラムを保持する。補助記憶装置１０５には、分析サーバ１に内蔵されているものに加え、外部接続されるものも含まれる。データ分析プログラムは、分析サーバ１に、医薬品詳細データマート７の情報を集計し、地域別ランキングシェア件数データマート８Ａ、地域別ランキングデータマート８Ｂ、全国ランキングシェア件数データマート９Ａ、全国ランキングデータマート９Ｂの作成及び更新を実行させるためのプログラムである。
【００８５】
可搬記録媒体駆動装置１０６は、可搬記録媒体２００に記録されるプログラムや各種データを読出し、ＣＰＵ  １０１に出力する。可搬記録媒体２００は、例えば、ＳＤカード、ｍｉｎｉＳＤカード、ｍｉｃｒｏＳＤカード、ＵＳＢ（Universal Serial Bus）フラッシュメモリ、ＣＤ（Compact Disc）、ＤＶＤ(Digital Versatile Disc)、Ｂｌｕ−ｒａｙ（登録商標）  Ｄｉｓｃ又はフラッシュメモリカードのような記録媒体である
【００８６】
ネットワークインタフェース１０７は、ネットワークとの情報の入出力を行うインタフェースである。ネットワークインタフェース１０７は、有線のネットワーク、および、無線のネットワークと接続する。ネットワークインタフェース１０７は、例えば、ＮＩＣ（Network Interface Card）、無線ＬＡＮ（Local Area Network）カード等である。ネットワークインタフェース１０７で受信されたデータ等は、ＣＰＵ  １０１に出力される。
【００８７】
ＣＰＵ  １０１は、補助記憶装置１０５又は可搬記録媒体に保持されたＯＳや様々なアプリケーションプログラムを主記憶装置１０２にロードして実行することによって、様々な処理を実行する。ＣＰＵ  １０１は、一つであってもよいし、複数であってもよい。
【００８８】
出力装置１０４は、ＣＰＵ  １０１の処理の結果を出力する。出力装置１０４は、表示装置、音声出力装置等を含む。
【００８９】
なお、分析サーバ１のハードウェア構成は、適宜変更（置換、追加、削除）可能である。例えば、分析サーバ１は、入力装置１０３や出力装置１０４を含まなくてもよい。
【００９０】
図１４は、第１実施形態に係る分析サーバ１の機能ブロック図の一例である。分析サーバ１は、例えば、ＣＰＵ  １０１が補助記憶装置１０５に格納されるデータ分析プログラムを実行することによって、医薬品詳細データマート作成部１１、地域別ランキング集計部１２、全国ランキング集計部１３の処理を行う。
【００９１】
医薬品詳細データマート作成部１１は、所定のスケジュールで、処方医薬品情報データウェアハウス２に新たに格納されたレコードについて、個人マスタ３、医薬品マスタ４Ａ、後発医薬品マスタ４Ｂ、規格単位マスタ５、地域管理マスタ６等の情報を用いて、医薬品詳細データマート７のレコードの作成を行う。医薬品詳細データマート作成部１１による医薬品詳細データマート７のレコードの作成及び更新処理の実行スケジュールは、例えば、毎日、業務時間外の所定の時刻である。
【００９２】
地域別ランキング集計部１２は、医薬品詳細データマート作成部１１による医薬品詳細データマート７のレコードの作成及び更新処理の終了後、地域別ランキングシェア件数データマート８Ａ、地域別ランキングデータマート８Ｂのレコードの作成及び更新処理を行う。
【００９３】
全国ランキング集計部１３は、地域別ランキング集計部１２による地域別ランキングシ
ェア件数データマート８Ａ、地域別ランキングデータマート８Ｂのレコードの作成及び更新処理の終了後、全国ランキングシェア件数データマート９Ａ、全国ランキングデータマート９Ｂのレコードの作成及び更新処理を行う。
【００９４】
（処理の流れ）
図１５は、医薬品詳細データマート作成部１１の処理のフローチャートの一例である。図１５に示されるフローチャートは、例えば、１日に１回、業務時間外の所定の時刻に開始される。ただし、これに限られず、図１５に示されるフローチャートは、情報分析システム１００の管理者による指示の入力等によって開始されてもよい。
【００９５】
ＯＰ１１では、医薬品詳細データマート作成部１１は、処方医薬品情報データウェアハウス２から差分となるレコードを取得し、該レコードのうちの所定のデータを医薬品詳細データマート７のレコードの対応する項目に格納する。処方医薬品情報データウェアハウス２から取得されるデータの詳細は、上述の図８Ａ、図８Ｂでの説明の通りである。次に処理がＯＰ１２に進む。
【００９６】
ＯＰ１２では、医薬品詳細データマート作成部１１は、個人マスタ３、医薬品マスタ４Ａ、規格単位マスタ５、地域管理マスタ６から所定のデータを取得し、医薬品詳細データマート７のレコードの対応する項目に格納する。各マスタから取得されるデータの詳細は、上述の図８Ａ、図８Ｂでの説明の通りである。次に処理がＯＰ１３に進む。
【００９７】
ＯＰ１３では、医薬品詳細データマート作成部１１は、項目Ｎｏ．４７「ジェネリック判定フラグ」の値を判定する。例えば、医薬品詳細データマート７のレコードの項目Ｎｏ．４２「医薬品コード」が一致する医薬品マスタ６Ａのレコードの項目Ｎｏ．１８「後発品フラグ」が「０」であり、且つ、後発医薬品マスタ６Ｂに、項目Ｎｏ．１の「薬価基準コード」の上位９ケタが医薬品マスタ６Ａの該当レコードの項目Ｎｏ．３２「薬価基準コード」の上位９ケタと一致するレコードがない場合には、医薬品詳細データマート作成部１１は、項目Ｎｏ．４７「ジェネリック判定フラグ」の値を「０」に決定する。医薬品詳細データマート７のレコードの項目Ｎｏ．４２「医薬品コード」が一致する医薬品マスタ６Ａのレコードの項目Ｎｏ．１８「後発品フラグ」が「０」であり、且つ、後発医薬品マスタ６Ｂに、項目Ｎｏ．１の「薬価基準コード」の上位９ケタが医薬品マスタ６Ａの該当レコードの項目Ｎｏ．３２「薬価基準コード」の上位９ケタと一致するレコードがある場合には、医薬品詳細データマート作成部１１は、項目Ｎｏ．４７「ジェネリック判定フラグ」の値を「１」に決定する。医薬品詳細データマート７のレコードの項目Ｎｏ．４２「医薬品コード」が一致する医薬品マスタ６Ａのレコードの項目Ｎｏ．１８「後発品フラグ」が「１」である場合には、項目Ｎｏ．４７「ジェネリック判定フラグ」の値を「２」に決定する。医薬品詳細データマート作成部１１は、決定した値を項目Ｎｏ．４７「ジェネリック判定フラグ」に格納する。
【００９８】
また、ＯＰ１３では、医薬品詳細データマート作成部１１は、項目Ｎｏ．４７「ジェネリック判定フラグ」の値が「２」である場合には、医薬品マスタ４Ａ及び後発医薬品マスタ４Ｂから所定のデータを取得し、レコードの対応する項目に格納する。次に処理がＯＰ１４に進む。
【００９９】
ＯＰ１４では、医薬品詳細データマート作成部１１は、医薬品詳細データマート７の項目Ｎｏ．５１「処方金額」を算出する。医薬品詳細データマート７の項目Ｎｏ．５１「処方金額」は、該当レコードの項目Ｎｏ．４８「薬価」×項目Ｎｏ．４９「調剤数量」×項目Ｎｏ．５０「使用量」の値である。医薬品詳細データマート作成部１１は、決定した値を項目Ｎｏ．５１「処方金額」に格納する。なお、項目Ｎｏ．４７「ジェネリック判定フラグ」の値が「２」である場合には、医薬品詳細データマート作成部１１は、医薬品詳細
データマート７の項目Ｎｏ．６６「薬価（先発医薬品）」の値を用いて、項目Ｎｏ．６７「処方金額（先発医薬品）」の値も算出する。次に処理がＯＰ１５に進む。
【０１００】
ＯＰ１５では、医薬品詳細データマート作成部１１は、医薬品詳細データマート７の項目Ｎｏ．６２「医薬品使用数量」を算出する。医薬品詳細データマート７の項目Ｎｏ．６２「医薬品使用数量」は、該当レコードの項目Ｎｏ．４９「調剤数量」×項目Ｎｏ．５０「使用量」÷項目Ｎｏ．５７「規格単位除数」の値である。医薬品詳細データマート作成部１１は、決定した値を項目Ｎｏ．６２「医薬品使用数量」に格納する。その後、図１５に示される処理が終了する。
【０１０１】
なお、処方医薬品情報データウェアハウス２の前回処理時からの差分のレコードの一つ一つについて、ＯＰ１１〜ＯＰ１５の処理が差分のレコードの分だけ繰り返し実行されてもよいし、差分のレコード全部について一括してＯＰ１１〜ＯＰ１５の処理が行われてもよい。また、図１５に示される処理のフローチャートは一例であって、適宜、処理の実行順の変更、処理内容の変更、処理の置換、追加、削除等が行われてもよい。
【０１０２】
図１６は、地域別ランキング集計部１２の処理のフローチャートの一例である。図１６に示されるフローチャートは、例えば、図１５に示される医薬品詳細データマート作成部１１の処理の終了を契機に開始される。ただし、これに限られず、例えば、図１６に示されるフローチャートは、医薬品詳細データマート作成部１１の処理にかかわりないタイミングで周期的に行われてもよいし、情報分析システム１００の管理者からの指示によって行われてもよい。
【０１０３】
ＯＰ２１〜ＯＰ２３は、地域別ランキングシェア件数データマート８Ａの作成及び更新処理である。ＯＰ２１では、地域別ランキング集計部１２は、医薬品詳細データマート７から、集計キーに合致し、項目Ｎｏ．４７「ジェネリック判定フラグ」が「２」（後発医薬品）のレコードを抽出する。この場合の集計キーは、医薬品詳細データマート７の項目Ｎｏ．５５「地域コード」、項目Ｎｏ．５６「地域名称」、項目Ｎｏ．４４「薬効分類コード」、項目Ｎｏ．４５「薬効分類」、項目Ｎｏ．４８「薬価基準コード」である。このとき、集計キーとなる各項目の値の組み合わせに新たな組み合わせが有る場合には、新たな組み合わせに対応した地域別ランキングシェア件数データマート８Ａのレコードが作成される。次に処理がＯＰ２２に進む。
【０１０４】
ＯＰ２２では、地域別ランキング集計部１２は、ＯＰ２１において抽出した医薬品詳細データマート７のレコードの項目Ｎｏ．６２「医薬品使用数量」の値を合計する。次に処理がＯＰ２３に進む。
【０１０５】
ＯＰ２３では、地域別ランキング集計部１２は、ＯＰ２１で抽出した医薬品詳細データマート７のレコードの所定のデータ、ＯＰ２２で算出した値を、それぞれ、地域別ランキングシェア件数データマート８Ａのレコードの対応する項目に格納する。詳細は、上述の図９の説明の通りである。次に処理がＯＰ２４に進む。
【０１０６】
ＯＰ２４〜ＯＰ２８の処理は、地域別ランキングデータマート８Ｂの作成及び更新処理である。ＯＰ２４では、地域別ランキング集計部１２は、医薬品詳細データマート７から、集計キーに合致し、項目Ｎｏ．４７「ジェネリック判定フラグ」が「２」（後発医薬品）のレコードを抽出する。この場合の集計キーは、医薬品詳細データマート７の項目Ｎｏ．５５「地域コード」、項目Ｎｏ．５６「地域名称」、項目Ｎｏ．４４「薬効分類コード」、項目Ｎｏ．４５「薬効分類」、項目Ｎｏ．４６「薬価基準コード」、項目Ｎｏ．４２「医薬品コード」、項目Ｎｏ．４３「医薬品名・規格名・漢字名」、項目Ｎｏ．６１「後発品メーカ名」、項目Ｎｏ．４８「薬価」である。このとき、集計キーとなる各項目の値
の組み合わせに新たな組み合わせが有る場合には、新たな組み合わせに対応した地域別ランキングデータマート８Ｂのレコードが作成される。次に処理がＯＰ２５に進む。
【０１０７】
ＯＰ２５では、地域別ランキング集計部１２は、医薬品詳細データマート７のレコードの項目Ｎｏ．５０「使用量」、項目Ｎｏ．４９「調剤数量」、項目Ｎｏ．５１「処方金額」、項目Ｎｏ．６２「医薬品使用数量」のそれぞれの項目について、抽出したレコードの合計値を算出する。地域別ランキング集計部１２は、算出した値をそれぞれ対応する地域別ランキングデータマート８Ｂのレコードの項目に格納する。次に処理がＯＰ２６に進む。
【０１０８】
ＯＰ２６では、地域別ランキング集計部１２は、地域別ランキングシェア件数データマート８Ａから、地域別ランキングシェア件数データマート８Ａの項目Ｎｏ．８「医薬品使用数量」を取得し、対応する地域別ランキングデータマート８Ｂのレコードの項目Ｎｏ．１３「医薬品使用数量（全医薬品）」に格納する。次に処理がＯＰ２７に進む。
【０１０９】
ＯＰ２７では、地域別ランキング集計部１２は、地域別ランキングデータマート８Ｂの各レコードについて、項目Ｎｏ．１５「数量シェア」に格納される値を算出する。地域別ランキングデータマート８Ｂの項目Ｎｏ．１５「数量シェア」の値は、該当レコードの項目Ｎｏ．１４「医薬品使用数量」÷項目Ｎｏ．１３「医薬品使用数量（全医薬品）」×１００で求められる。
【０１１０】
ＯＰ２８では、地域別ランキング集計部１２は、ＯＰ２７で算出した値を、地域別ランキングデータマート８Ｂの項目Ｎｏ．１５「数量シェア」に格納する。その後、図１６に示される処理が終了する。
【０１１１】
図１７は、全国ランキング集計部１３の処理のフローチャートの一例である。図１７に示されるフローチャートは、例えば、図１６に示される地域別ランキング集計部１２の処理の終了を契機に開始される。ただし、これに限られず、例えば、図１７に示されるフローチャートは、地域別ランキング集計部１２の処理にかかわりないタイミングで周期的に行われてもよいし、情報分析システム１００の管理者からの指示によって行われてもよい。
【０１１２】
ＯＰ３１〜ＯＰ３３は、全国ランキングシェア件数データマート９Ａの作成及び更新処理である。ＯＰ３１では、全国ランキング集計部１３は、地域別ランキングシェア件数データマート８Ａから、集計キーに合致するレコードを抽出する。この場合の集計キーは、地域別ランキングシェア件数データマート８Ａの項目Ｎｏ．３「薬効分類コード」、項目Ｎｏ．４「薬効分類」、項目Ｎｏ．５「薬価基準コード」である。このとき、集計キーとなる各項目の値の組み合わせに新たな組み合わせが有る場合には、新たな組み合わせに対応した全国ランキングシェア件数データマート９Ａのレコードが作成される。次に処理がＯＰ３２に進む。
【０１１３】
ＯＰ３２では、全国ランキング集計部１３は、ＯＰ３１において抽出した地域別ランキングシェア件数データマート８Ａのレコードの項目Ｎｏ．８「医薬品使用数量」の値を合計する。次に処理がＯＰ３３に進む。
【０１１４】
ＯＰ３３では、全国ランキング集計部１３は、ＯＰ３１で抽出した地域別ランキングシェア件数データマート８Ａのレコードの所定のデータ、ＯＰ３２で算出した値を、それぞれ、全国ランキングシェア件数データマート９Ａのレコードの対応する項目に格納する。詳細は、上述の図１１の説明の通りである。次に処理がＯＰ３４に進む。
【０１１５】
ＯＰ３４〜ＯＰ３８の処理は、全国ランキングデータマート９Ｂの作成及び更新処理である。ＯＰ３４では、全国ランキング集計部１３は、地域別ランキングデータマート８Ｂから、集計キーに合致するレコードを抽出する。この場合の集計キーは、地域別ランキングデータマート８Ｂの項目Ｎｏ．３「薬効分類コード」、項目Ｎｏ．４「薬効分類」、項目Ｎｏ．５「薬価基準コード」、項目Ｎｏ．６「医薬品コード」、項目Ｎｏ．７「医薬品名・規格名・漢字名」、項目Ｎｏ．８「後発品メーカ名」、項目Ｎｏ．９「薬価」である。このとき、集計キーとなる各項目の値の組み合わせに新たな組み合わせが有る場合には、新たな組み合わせに対応した全国ランキングデータマート９Ｂのレコードが作成される。次に処理がＯＰ３５に進む。
【０１１６】
ＯＰ３５では、全国ランキング集計部１３は、地域別ランキングデータマート８Ｂのレコードの項目Ｎｏ．１０「使用量」、項目Ｎｏ．１１「調剤数量」、項目Ｎｏ．１２「処方金額」、項目Ｎｏ．１４「医薬品使用数量」のそれぞれの項目について、抽出したレコードの合計値を算出する。全国ランキング集計部１３は、算出した値をそれぞれ対応する全国ランキングデータマート９Ｂのレコードの項目に格納する。次に処理がＯＰ３６に進む。
【０１１７】
ＯＰ３６では、全国ランキング集計部１３は、全国ランキングシェア件数データマート９Ａから、全国ランキングシェア件数データマート９Ａの項目Ｎｏ．６「医薬品使用数量」を取得し、対応する全国ランキングデータマート９Ｂのレコードの項目Ｎｏ．１１「医薬品使用数量（全医薬品）」に格納する。次に処理がＯＰ３７に進む。
【０１１８】
ＯＰ３７では、全国ランキング集計部１３は、全国ランキングデータマート９Ｂの各レコードについて、項目Ｎｏ．１３「数量シェア」に格納される値を算出する。全国ランキングデータマート９Ｂの項目Ｎｏ．１３「数量シェア」の値は、該当レコードの項目Ｎｏ．１２「医薬品使用数量」÷項目Ｎｏ．１１「医薬品使用数量（全医薬品）」×１００で求められる。
【０１１９】
ＯＰ３８では、全国ランキング集計部１３は、ＯＰ３７で算出した値を、全国ランキングデータマート９Ｂの項目Ｎｏ．１３「数量シェア」に格納する。その後、図１７に示される処理が終了する。
【０１２０】
以上の第１実施形態では、ランキングの集計期間については考慮されていないが、ランキングの集計期間を設けることも可能である。ランキングの集計期間を設定する場合には、地域別ランキングシェア件数データマート８Ａ、地域別ランキングデータマート８Ｂ、全国ランキングシェア件数データマート９Ａ、全国ランキングデータマート９Ｂのそれぞれを作成する際の集計キーに、集計期間を含めることで実現可能である。ランキングの集計期間は、例えば、年単位、月単位でユーザが指定可能にすることができる。
【０１２１】
ランキングの集計期間が、例えば、２０１２年１月から２０１２年１２月まで、のように、月単位でユーザによって指定可能な場合には、各月について、地域別ランキングシェア件数データマート８Ａ、地域別ランキングデータマート８Ｂ、全国ランキングシェア件数データマート９Ａ、全国ランキングデータマート９Ｂが作成される。これに伴って、ウェブシステム４００内でも、地域別ランキングデータマート４２、全国ランキングデータマート４３が、各月について作成される。
【０１２２】
この場合には、ウェブサーバ４４は、ユーザ端末から要求を受けると、ユーザ指定の集計期間に含まれる各月の地域別ランキングデータマート４２又は全国ランキングデータマート４３のそれぞれから、ユーザ指定の条件（先発医薬品、地域又は全国等）に該当するレコードを抽出し、集計して、指定の集計期間のランキングを算出する。ウェブサーバ４
４は、例えば、集計期間に含まれる各月の地域別ランキングデータマート４２からユーザ指定の条件に該当するレコードを抽出し、抽出したレコードのうち同じ医薬品同士のレコードで、項目Ｎｏ．１４「医薬品使用数量」の合計値÷項目Ｎｏ．１３「医薬品使用数量（全医薬品）」の合計値を計算して、集計期間の該医薬品の数量シェアを算出する。
【０１２３】
＜サービス提供の例＞
図１８は、ユーザ端末の入力画面の一例である。図１８に示される入力画面は、例えば、ユーザがウェブシステム４００のＵＲＬにアクセスし、ログイン画面からログインし、メニュー選択画面で「ジェネリックランキング照会」のメニューを選択すると、表示される画面である。この画面は、ウェブサーバ４４によって作成され、ユーザ端末に送信される。
【０１２４】
入力画面には、ランキングの集計期間を選択するためのプルダウンボックスを含む部分５１と、ランキング対象の先発医薬品を選択するためのプルダウンボックス５２と、ランキング集計の地域範囲を選択するためのプルダウンボックス５３が表示される。なお、図１８に示される入力画面は一例であって、ランキングの集計期間、ランキング対象の先発医薬品の選択、ランキング集計の地域範囲の選択等は、ユーザによって直接入力されてもよい。
【０１２５】
例えば、ユーザが入力を終え、検索ボタン５４を選択すると、ユーザ端末から、ランキングの検索要求とともに、ランキングの集計期間、ランキング対象の先発医薬品、ランキング集計の地域等の情報がウェブサーバ４４に送信される。
【０１２６】
図１９は、ユーザ端末におけるランキング検索結果表示画面の一例である。図１９に示されるランキング検索結果表示画面では、例えば、図１８に示される入力画面で指定された条件でのランキング検索結果が表示される。
【０１２７】
図１９に示されるランキング検索結果表示画面の例では、ランキング対象の先発医薬品の直近の処方情報と、ランキング対象の先発医薬品に対応する後発医薬品の数量シェア又は薬価のランキングが表示される。
【０１２８】
ランキング検索結果表示画面は、ウェブサーバ４４によって、例えば、記憶装置内のテンプレートに所定の情報が格納されて作成され、ユーザ端末に送信される。ウェブサーバ４４は、ユーザ指定の条件に合致するレコードを地域別ランキングデータマート４２又は全国ランキングデータマート４３から抽出し、該レコードの項目「数量シェア」の値でランキングを作成する。先発医薬品の直近の処方情報は、例えば、ユーザのログイン情報から特定されるユーザ識別情報、ユーザ指定の先発医薬品、を用いて、医薬品詳細データマート４１から取得される。
【０１２９】
例えば、図１９に示されるランキング検索結果表示画面では、ランキング対象の先発医薬品の直近の処方情報に含まれる「該当医薬品名」は、医薬品詳細データマート４１の該当レコードの項目Ｎｏ．４３「医薬品名・規格名・漢字名称」から取得される。ランキング対象の先発医薬品の直近の処方情報に含まれる「区分」は、医薬品詳細データマート４１の該当レコードの項目Ｎｏ．４７「ジェネリック判定フラグ」の値に基づいて取得される。
【０１３０】
ランキング対象の先発医薬品の直近の処方情報に含まれる「薬価」の値は、医薬品詳細データマート４１の該当レコードの項目Ｎｏ．４８「薬価」の値である。ランキング対象の先発医薬品の直近の処方情報に含まれる「前回処方実績」は、医薬品詳細データマート４１の該当レコードの項目Ｎｏ．４９「調剤数量」×項目Ｎｏ．５０「使用量」によって
求められる。
【０１３１】
ランキング対象の先発医薬品の直近の処方情報に含まれる「処方金額」は、医薬品詳細データマート４１の該当レコードの項目Ｎｏ．５１「処方金額」から取得される。なお、ランキング対象の先発医薬品の直近の処方情報に含まれる「処方金額」の自己負担額は、医薬品詳細データマート４１の該当レコードの項目Ｎｏ．５１「処方金額」に０．３を乗じた値である。第１実施形態のウェブシステム４００では、全組合員の医療費の負担割合を一律３割として表示する。また、医薬品詳細データマート４１の該当レコードの項目Ｎｏ．５１「処方金額」には、薬価以外の費用（例えば、調剤費等）は含まれていない。そのため、ランキング対象の先発医薬品の直近の処方情報に含まれる「処方金額」の自己負担額は、実際に処方された金額とは異なる。
【０１３２】
また、例えば、図１９に示されるランキング検索結果表示画面の、ランキング対象の先発医薬品に対応する後発医薬品のランキング検索結果は、例えば、以下のようにして作成される。まず、ウェブサーバ４４は、ユーザ指定の先発医薬品の薬価基準コードを、医薬品詳細データマート４１のユーザ識別情報とユーザ指定の先発医薬品の医薬品コードとに合致するレコードから取得する。次に、ウェブサーバ４４は、取得した薬価基準コードの上９ケタが合致するレコードを、地域別ランキングデータマート４２又は全国ランキングデータマート４３から抽出し、例えば、抽出したレコードの項目「数量シェア」の値を降順に並べて数量シェアのランキングを作成する。
【０１３３】
なお、集計期間が設定されている場合には、ウェブサーバ４４は、ユーザ指定の集計期間に含まれる各月の地域別ランキングデータマート４２又は全国ランキングデータマート４３のそれぞれから、医薬品詳細データマート４１から取得した薬価基準コードの上９ケタが合致するレコードを抽出し、抽出したレコードのうち項目「医薬品コード」が同じレコードで、項目Ｎｏ．１４「医薬品使用数量」の合計値÷項目Ｎｏ．１３「医薬品使用数量（全医薬品）」の合計値を計算して、集計期間の該医薬品の数量シェアを算出する。
【０１３４】
ランキング対象の先発医薬品に対応する後発医薬品のランキング検索結果に含まれる各後発医薬品の、「該当薬品名」、「シェア」、「薬価」、「メーカ」は、それぞれ、地域別ランキングデータマート４２又は全国ランキングデータマートの該当レコードの項目「医薬品名・規格名・漢字名称」、「数量シェア」、「薬価」、「後発品メーカ名」から取得される。ただし、集計期間が設定されている場合には、ランキング検索結果画面の「シェア」には、上述の処理で算出された数量シェアが格納される。
【０１３５】
ランキング対象の先発医薬品に対応する後発医薬品のランキング検索結果の「削減額」は、医薬品詳細データマート４１の該当レコードの項目Ｎｏ．５１「処方金額」から地域別ランキングデータマート４２又は全国ランキングデータマート４３の項目「薬価」×医薬品詳細データマート４１の該当レコードの項目Ｎｏ．４９「調剤数量」×医薬品詳細データマート４１の該当レコードの項目Ｎｏ．５０「使用量」の値を差し引いた額が表示される。括弧内は、自己負担額で、「削減額」に０．３を掛けた額が表示される。
【０１３６】
ランキングは、「薬価順」のリンクを選択することで、薬価順で表示させることも可能である。また、ランキングは、削減額で表示させることも可能である。
【０１３７】
＜第１実施形態の作用及び効果＞
第１実施形態に係る情報処理システムは、対象の医薬品と効能が同じである、すなわち、薬価基準コードの上位９ケタが同じジェネリック医薬品の数量シェアのランキングをユーザに提供することによって、ジェネリック医薬品の情報をユーザに提供することができ、ジェネリック医薬品の使用を促進することができる。また、ジェネリック医薬品の使用
時の削減額が表示されることによって、ユーザに対してジェネリック医薬品の使用をより強く動機づけできる。
【０１３８】
また、第１実施形態では、例えば、ジェネリック医薬品促進通知によって通知されたジェネリック医薬品とその他のジェネリック医薬品とで削減額を比較し、他のジェネリック医薬品の使用を検討することができる。また、第１実施形態では、ユーザ端末として携帯電話等のモバイル端末を用いることもでき、外出先で、医療費の削減額のシミュレーションを行うこともでき、薬局にジェネリック医薬品通知を持参せずに、ジェネリック医薬品の使用を検討することができる。
【０１３９】
また、数量シェアの情報が提供されることによって、ユーザは、取り扱い薬局のより多いジェネリック医薬品を選択することが可能となる。また、地方によって在庫や製薬会社の勢力が異なるので、地域別ランキングが提供されることによって、ユーザは在住の地域に応じたより適正な情報を取得することができる。また、ジェネリック医薬品に対する安全性への疑念を抱くユーザもいるため、数量シェアの情報が提供されることによって、ジェネリック医薬品の安全性に対するユーザの抵抗感を緩和することができる。
【０１４０】
また、数量シェアのランキング形式でジェネリック医薬品が表示されることによって、例えば、薬局に所定のジェネリック医薬品の取扱いがなくとも別のジェネリック医薬品を選択することができ、ジェネリック医薬品を使用する際の利便性が向上する。
【０１４１】
また、薬価基準コードの上位９ケタが同じ後発医薬品でも、すなわち、効能、剤形等が同じ後発医薬品でも、一単位当たりの有効成分の含有量が異なる場合には、単純に使用量を比較することができない。第１実施形態では、各医薬品の使用量を規格単位除数で割って「数量」に変換することで、同じ基準で各医薬品の数量を比較することができる。
【０１４２】
＜その他＞
第１実施形態に係る情報処理システムは、情報分析システム１００、レセプト情報管理システム２００、基幹システム３００、ウェブシステム４００を含む。例えば、ウェブシステム４００は、情報分析システム１００の医薬品詳細データマート７、地域別ランキングデータマート８Ｂ、全国ランキングデータマート９Ｂのコピーを保持することで、ユーザからのアクセスに対する応答速度を向上させることができる。
【０１４３】
ただし、これに限られず、例えば、取り扱うデータの規模に応じて、情報分析システム１００とウェブシステム２００とを１つのシステムとしても良い。この場合には、医薬品詳細データマート７、地域別ランキングデータマート８Ｂ、全国ランキングデータマート９Ｂのコピーを別に保持せずに済む。
【０１４４】
また、例えば、１つの健康保険組合で、情報分析システム１００、レセプト情報管理システム２００、基幹システム３００、ウェブシステム４００のそれぞれの機能を１つのシステムで実現してもよい。この場合には、レセプト情報管理システム２００の処方医薬品情報２１、基幹システムの個人マスタ３１、医薬品詳細データマート７、地域別ランキングデータマート８Ｂ、全国ランキングデータマート９Ｂのコピーを別に保持せずに済む。
【０１４５】
第１実施形態では、地域別又は全国での数量シェアのランキングが提供されたが、これに限られず、例えば、各データマートの集計キーに都道府県の情報を追加することで、都道府県別での集計結果を格納するデータマートを作成し、都道府県別の数量シェアのランキングを提供することも可能である。
【０１４６】
また、第１実施形態では、薬価基準コードの上位９ケタが共通する複数の医薬品を１つ
の先発医薬品に対応する後発医薬品として判定していたが、１つの先発医薬品に対応する後発医薬品群の判定は、平成２５年７月現在の薬価基準コードの定義に従うものであって、これに限定されない。これより後の将来に、厚生労働省によって薬価基準コードが改定される場合には、該改定に追従して、１つの先発医薬品に対応する後発医薬品群の判定に用いられる薬価基準コードの部分は変更される。
【符号の説明】
【０１４７】
１      分析サーバ
２      処方医薬品情報データウェアハウス
３      個人マスタ
４Ａ    医薬品マスタ
４Ｂ    後発医薬品マスタ
５      規格単位マスタ
６      地域管理マスタ
７      医薬品詳細データマート
８Ａ    地域別ランキングシェア件数データマート
８Ｂ    地域別ランキングデータマート
９Ａ    全国ランキングシェア件数データマート
９Ｂ    全国ランキングデータマート
４１    医薬品詳細データマート
４２    地域別ランキングデータマート
４３    全国ランキングシェア件数データマート
４４    ウェブサーバ
１００  情報分析システム
２００  レセプト情報管理システム
３００  基幹システム
４００  ウェブシステム
【図１】
2015022355.tif 000003
【図２】
2015022355.tif 000004
【図３】
2015022355.tif 000005
【図４】
2015022355.tif 000006
【図５】
2015022355.tif 000007
【図６】
2015022355.tif 000008
【図７】
2015022355.tif 000009
【図８Ａ】
2015022355.tif 000010
【図８Ｂ】
2015022355.tif 000011
【図９】
2015022355.tif 000012
【図１０】
2015022355.tif 000013
【図１１】
2015022355.tif 000014
【図１２】
2015022355.tif 000015
【図１３】
2015022355.tif 000016
【図１４】
2015022355.tif 000017
【図１５】
2015022355.tif 000018
【図１６】
2015022355.tif 000019
【図１７】
2015022355.tif 000020
【図１８】
2015022355.tif 000021
【図１９】
2015022355.tif 000022